(57)【要約】  周波数可変装置（ＩＣＴ）は、発振器信号（ＯＳ）を提供する可変発振器回路（ＴＯＣ）を備える。制御可能な周波数分周器回路（ＣＤＩＶ，ＤＢＴ１，ＤＢＴ２，ＤＢＴ３，ＭＵＸ）は発振器信号に基づいて分周信号（ＭＯ）を提供する。分周信号は分周係数によって分周された発振器信号の周波数と等しい周波数を有する。制御可能な周波数分周器回路は、分周係数の組（４，５，６，７，８）の中から何れかの分周係数を提供し、どんな分周係数に対しても、その分周係数と、もし存在するならば、その分周係数に最も近く、より小さい分周係数との間の比が１．２５を上回らない。
2008510407.tif 000002
【特許請求の範囲】
【請求項１】
発振器信号を提供するように構成された可変発振器回路と、
いかなる分周係数に対しても、その分周係数と、もし存在するならば、その分周係数に最も近く、その分周係数より小さい分周係数との間の比が１．２５を上回らない分周係数の組（４，５，６，７）の中から何れかの分周係数を提供するように構成され、前記発振器信号に基づいて、分周係数によって分周された前記発振器信号の周波数と等しい周波数を有する分周信号を提供する制御可能な周波数分周器回路と、
を備える、周波数可変装置。
【請求項２】
前記制御可能な周波数分周器回路が、ｋを１より大きい整数であるとして、２ｋと２ｋ＋１−１との間を変化する整数分周係数（４，５，６，７）の組の中から整数分周係数を提供するように構成された周波数分周器サブ回路を備える、請求項１に記載の周波数可変装置。
【請求項３】
前記可変発振器回路が集積回路基板上に形成される、請求項１に記載の周波数可変装置。
【請求項４】
前記可変発振器回路が前記集積回路基板上に形成されたインダクタンスを含む共振回路を備える、請求項２に記載の周波数可変装置。
【請求項５】
前記周波数分周器回路が、前記分周係数の組の中から適当な分周係数を選択するために制御されるチューニングステップを備える、請求項１に記載の周波数可変装置をチューニングする方法。
【請求項６】
請求項１に記載の周波数可変装置と、
コントローラと、
を備える信号処理装置のコンピュータプログラムプロダクトであって、
前記分周係数の組の中から適当な分周係数を選択するために前記周波数分周器回路が制御されるチューニングステップを前記コントローラに実行させる命令の組を備える、コンピュータプログラムプロダクト。
【請求項７】
請求項１に記載の周波数可変装置と、
ミキサ出力信号を得るためにミキサ入力信号を前記分周信号と混合するミキサ回路と、
前記ミキサ出力信号を処理する処理回路と、
を備える、信号処理装置。
【請求項８】
請求項７に記載の信号処理装置と、
前記処理回路が前記ミキサ出力信号から取り出した情報をレンダリングする情報レンダリング装置と、
を備える、情報レンダリング機器。
【発明の詳細な説明】
【技術分野】
【０００１】
本発明の態様は周波数可変装置に関係する。周波数可変装置は、たとえば、オーディオ、ビデオ、若しくは、データ、または、それらの組み合わせの形式で情報を搬送する無線周波数信号を選択する集積回路チューナーである。本発明のその他の態様は、このような周波数可変装置をチューニングする方法、信号処理装置、信号処理装置のためのコンピュータプログラムプロダクト、および、情報レンダリング機器に関係する。情報レンダリング機器は、たとえば、ビデオディスプレイセットである。
【背景技術】
【０００２】
米国特許第５，９８３，０８８号は、局部発振器と、ＲＦ信号をＩＦ信号へ変換するミキサとを含むチューナーについて記載する。局部発振器は、発振器信号を生成する唯一の可変発振部を有する。制御可能な周波数分周器は、受信機がＵＨＦ帯域およびＶＨＦ帯域の至る所で同調可能であるように、発振器信号の周波数を分周する。制御可能な周波数分周器は、１、２、４、８、または１６により分周するため制御される。
【発明の開示】
【課題を解決するための手段】
【０００３】
本発明は独立請求項によって規定される。従属請求項は有利な実施形態を規定する。
【０００４】
本発明の態様によれば、周波数可変装置は以下の特徴を有する。周波数可変装置は発振器信号を提供する可変発振器回路を備える。制御可能な周波数分周器回路は発振器信号に基づいて分周信号を提供する。分周信号は分周係数によって分周された発振器信号の周波数と等しい周波数を有する。制御可能な周波数分周器回路は、分周係数の組の中から何れかの分周係数を提供し、どんな分周係数に対しても、その分周係数と、もし存在するならば、その分周係数に最も近く、より小さい分周係数との間の比が１．２５を上回らない状態にする。
【０００５】
本発明は以下の態様を考慮する。着目しているチューニングレンジ以外の種々の発振器特性が存在する。たとえば、位相雑音は着目している発振器特性である。受信機において、チューニングの位相雑音は、受信の品質を決定する。一般的には、同調発振器の位相雑音は、最小発振器周波数と最大発振器周波数に関して発振器のチューニングレンジに比例する。最大発振器周波数と最小発振器周波数との間の比が大きくなるほど、位相雑音がより大きくなる。
【０００６】
発振器の位相雑音は発振器の周波数を実質的に決定する素子にも依存する。これらの周波数決定素子は、たとえば、インダクタンスおよびキャパシタンスを含む。周波数決定素子が吸収する信号電力が小さくなるほど、位相雑音はより小さくなる。その結果、比較的少ない信号電力を吸収する高品質周波数決定素子は、比較的広い周波数レンジ全体に亘ってチューニングされ得る低位相雑音発振器を可能にする。たとえば、上記の従来技術のチューナーにおいて、比較的高品質の周波数決定素子が使用されるならば、局部発振器は十分に低い位相雑音を有する。実際には、従来技術のチューナーは、比較的高品質要素を有する個別インダクタンスを必要とする。
【０００７】
上記の本発明の態様によれば、制御可能な周波数分周器回路は、分周係数の組の中のいずれかの分周係数を提供し、どんな分周係数に対しても、その分周係数と、もし存在するならば、その分周係数に最も近く、より小さい分周係数との間の比は１．２５を上回らない。
【０００８】
本発明は、最大発振器周波数と最小発振器周波数との間の比の観点では１．２５以下に過ぎないチューニングレンジを有する可変発振器を用いて、比較的広い周波数レンジ全体に亘る同調を可能にする。可変発振器のチューニングレンジは比較的狭いので、満足できる位相雑音が比較的適度の品質の周波数決定素子を用いて実現される。このような周波数決定素子は、比較的安価である。周波数決定素子に関連したコストの削減は、一般的に、従来技術のチューナーにおける周波数分周器回路と比べてやや複雑である制御可能な周波数分周器回路に関連したコストの増加を上回る。これらの理由のため、本発明はコスト削減を可能にする。
【０００９】
たとえば、テレビチューナーのアプリケーションでは、本発明は、集積回路基板の一部を形成するインダクタンスおよびキャパシタンスの形の周波数決定素子を可能にする。従来技術のチューナーとは反対に、インダクタンスは、満足できる位相雑音を実現するために外部コンポーネントの形である必要がない。このことはかなりのコスト削減を意味する。
【００１０】
本発明の上記態様およびその他の態様は図面を参照して以下でより詳細に説明される。
【発明を実施するための最良の形態】
【００１１】
図１は、受信機ＲＥＣとディスプレイ装置ＤＰＬとを備えるビデオディスプレイセットＶＤＳを示す。受信機ＲＥＣは、無線周波スペクトルＲＦを受信し、無線周波スペクトルＲＦ内の希望の信号からビデオ信号ＶＩＤを取り出す。ディスプレイ装置ＤＰＬはビデオ信号ＶＩＤを表示する。
【００１２】
受信機ＲＥＣは信号処理ボードＳＰＢとコントローラＣＴＲＬとを備える。信号処理ボードＳＰＢは種々のコンポーネントを備え、その中に集積回路チューナーＩＣＴとデコーダＤＥＣがある。上記素子は、受信された無線周波スペクトルＲＦからビデオ信号ＶＩＤを得る信号処理チェーンの一部を形成する。コントローラＣＴＲＬはこの信号処理チェーンを制御する。たとえば、コントローラＣＴＲＬは、集積回路チューナーＩＣＴが無線周波スペクトルＲＦ内の希望のチャンネルを選択するために、集積回路チューナーＩＣＴを制御する。
【００１３】
図２は集積回路チューナーＩＣＴを示す。集積回路チューナーＩＣＴは、図２の右側に現れる、フロントエンド回路ＦＥＣと、ミキサ回路ＭＩＸと、バックエンド回路ＢＥＣとを備える。フロントエンド回路ＦＥＣは、たとえば、広帯域フィルタ処理された種類の無線周波スペクトルＲＦである入力信号ＩＮを受信する。フロントエンド回路ＦＥＣは、ミキサ入力信号ＭＩを得るために入力信号ＩＮを増幅する。好ましくは、フロントエンド回路ＦＥＣは、ミキサ入力信号ＭＩが適切なレベルになるように可変利得を有する。ミキサ回路ＭＩＸは、ミキサ入力信号ＭＩをミキサ発振器信号ＭＯと混合する。その結果、中間周波信号ＩＦが得られる。バックエンド回路ＢＥＣはこの中間周波信号ＩＦを処理する。その処理は、たとえば、フィルタリングと、好ましくは可変利得による増幅とを含む。その結果、図１に示されたデコーダＤＥＣに供給され得る出力信号ＯＵＴが得られる。
【００１４】
ミキサ発振器信号ＭＯは、好ましくは、同相成分および直交成分を有する、いわゆる直交信号である。ミキサ回路ＭＩＸは、好ましくは、ミキサ入力信号ＭＩを同相成分および直交成分と混合する。ミキサ回路ＭＩＸはいわゆる画像周波数の信号を抑制する。これは、図１に示された無線周波スペクトルＲＦＦからミキサ入力信号ＭＩまで延びる信号路内のフィルタの必要性を緩和する。
【００１５】
集積回路チューナーＩＣＴは、ミキサ発振器信号ＭＯを提供する素子の組立体をさらに備える。素子の組立体は、可変発振器回路ＴＯＣ、制御可能な分周器ＣＤＩＶと、３個の２分周回路ＤＢＴ１、ＤＢＴ２、ＤＢＴ３と、マルチプレクサＭＵＸと、直交発生回路ＱＧＣと、周波数制御回路ＦＣＣとを含む。周波数制御回路ＦＣＣは、図１に示されたコントローラＣＴＲＬからチューニングコマンドＴＣを受信する。チューニングコマンドＴＣに応答して、周波数制御回路ＦＣＣは、適切な制御信号を可変発振器回路ＴＯＣ、制御可能な分周器ＣＤＩＶ、および、マルチプレクサＭＵＸに供給する。
【００１６】
可変発振器回路ＴＯＣは、比較的小さい周波数レンジ全体に亘って同調可能である周波数を有する発振器信号ＯＳを提供する。周波数制御回路ＦＣＣは発振器信号ＯＳの周波数を決定する。制御可能な分周器ＣＤＩＶは発振器信号ＯＳの周波数を分周する。その結果、分周された発振器信号ＯＳＡが得られる。制御可能な分周器ＣＤＩＶは、発振器周波数を４、５、６または７で分周できる。すなわち、制御可能な分周器ＣＤＩＶは、４、５、６または７という分周係数を提供する。周波数制御回路ＦＣＣは分周係数を決定する。制御可能な分周器ＣＤＩＶは、好ましくは、分周された発振器信号ＯＳＡが５０％のデューティサイクルを有するように構成される。
【００１７】
３個の２分周分周器ＤＢＴ１、ＤＢＴ２、および、ＤＢＴ３は、２回分周された発振器信号ＯＳＢ、３回分周された発振器信号ＯＳＣ、および、４回分周された発振器信号ＯＳＤを提供する周波数分周チェーンを形成する。２分周分周器ＤＢＴ１は、分周された発振器信号ＯＳＡの周波数を２で分周する。したがって、２回分周された発振器信号ＯＳＢは、分周された発振器信号ＯＳＡの周波数の半分（１／２）である周波数を有する。２分周分周器ＤＢＴ２は、２回分周された発振器信号ＯＳＢの周波数を２で分周する。その結果、３回分周された発振器信号ＯＳＣは、分周された発振器信号ＯＳＡの周波数の４分の１（１／４）である周波数を有する。２分周分周器ＤＢＴ３は、３回分周された発振器信号ＯＳＣの周波数を２で分周する。その結果、４回分周された発振器信号ＯＳＤは、分周された発振器信号ＯＳＡの周波数の８分の１（１／８）である周波数を有する。
【００１８】
各２分周分周器ＤＢＴ１、ＤＢＴ２およびＤＢＴ３は、同相成分および直交成分を有する直交出力信号を提供するように構成される。その結果、２分周分周器ＤＢＴ１は、２回周波数分周された発振器信号ＯＳＢの直交バージョンである直交出力信号ＢＱを提供する。２分周分周器ＤＢＴ２は、３回分周された発振器信号ＯＳＣの直交バージョンである直交出力信号ＣＱを提供する。２分周分周器ＤＢＴ３は、４回分周された発振器信号ＯＳＤの直交バージョンである直交出力信号ＤＱを提供する。
【００１９】
直交信号を提供する能力をもつ２分周分周器は種々の方法で実施される。たとえば、ＰＣＴ出願国際公開第９６２１２７０号は、比較的高精度の直交信号を提供する２分周回路について記載する。上記のように分周された発振器信号ＯＳＡが５０％のデューティサイクルを有するならば有利である。その場合、分周された発振器信号ＯＳＡの立ち上がりエッジと立ち下がりエッジとの間の時間は、立ち下がりエッジと後続の立ち上がりエッジとの間の時間と一致する。この時間は、分周された発振器信号ＯＳＡの周波数の半分（１／２）である周波数をもつ２回分周された発振器信号ＯＳＢの９０°位相差に対応する。
【００２０】
直交発生回路ＱＧＣは、分周された発振器信号ＯＳＡを、分周された発振器信号ＯＳＡと同じ周波数を有する直交出力信号ＡＱに変換する。直交発生回路ＱＧＣは、たとえば、位相シフトネットワークと同期回路とを備える。発振器信号ＯＳは、同期回路のためのクロック信号として役立つ。図２における点線はこのオプションを表している。マルチプレクサＭＵＸは、４個の直交出力信号ＡＱ、ＢＱ、ＣＱまたはＤＱのうちの１個を選択する。選択された直交出力信号は、ミキサ回路ＭＩＸに与えられるミキサ発振器信号ＭＯを構成する。周波数制御回路ＦＣＣは、マルチプレクサＭＵＸを制御し、選択される直交出力信号を決定する。
【００２１】
図３は、いずれか１個がミキサ発振器信号ＭＯを構成するために選択される直交出力信号ＡＱ、ＢＱ、ＣＱ、ＤＱのそれぞれの周波数を示す。図３は６列を有する図表である。「ＯＳ」という名前の列は、３．６〜２．８８ＧＨｚの周波数レンジ全体を亘ってチューニングされ得る発振器信号ＯＳの周波数を指定する。「ＣＤＩＶ」という名前の列は、制御可能な分周器ＣＤＩＶの４個の分周係数４、５、６および７を指定する。各分周係数は図表の異なる行に対応する。「ＡＱ」という名前の列は、分周係数４、５、６または７のそれぞれに対する直交出力信号ＡＱの周波数を指定する。同様に、「ＢＱ」、「ＣＱ」および「ＤＱ」という名前の列は、それぞれ、各分周係数４、５、６または７に対する直交出力信号ＢＱ、ＣＱおよびＤＱの周波数を指定する。
【００２２】
図３は、図２に示された集積回路チューナーＩＣＴが種々の地上波テレビ帯域、すなわち、ＶＨＦ１帯域、ＶＨＦ２帯域、ＶＨＦ３帯域およびＵＨＦ帯域の全体に亘ってチューニングされ得ることを明らかにする。集積回路チューナーＩＣＴ内には３個のチューニングパラメータ、すなわち、直交出力信号ＡＱ、ＢＱ、ＣＱまたはＤＱの選択と、分周係数４、５、６または７の選択と、３．６〜２．８８ＧＨｚの周波数レンジ内の発振器信号ＯＳの周波数の選択とが存在する。図２に示された周波数制御回路ＦＣＣは、図１に示されたコントローラＣＴＲＬと組み合わせて、これらの選択を実行する。より詳細には、これらの素子は、用いられた適切な制御信号をマルチプレクサＭＵＸ、制御可能な分周器ＣＤＩＶ、および、可変発振器回路ＴＯＣへ与えることにより、これらの選択を実行する。周波数制御回路ＦＣＣ、若しくは、コントローラＣＴＲＬ、または、その両方は、たとえば、適切にプログラミングされたプロセッサの形式でもよい。
【００２３】
図４は可変発振器回路ＴＯＣを示す。可変発振器回路ＴＯＣは、たとえば、エッチング技術と堆積技術を用いて、集積回路基板ＳＵＢ上に形成される。可変発振器回路ＴＯＣはインダクタンスＬｏと増幅器回路Ａｏとを備えている。増幅器回路Ａｏは電圧依存容量Ｃｖａｒを備えている。たとえば、１個以上の逆バイアス状態のダイオードが電圧依存容量Ｃｖａｒを形成する。インダクタンスＬｏと電圧依存容量Ｃｖａｒは、可変発振器回路ＴＯＣの周波数決定素子である。ループ形式の導電性パスは、図４に示されているようなインダクタンスＬｏを構成する。この伝導性パスは、たとえば、集積回路基板ＳＵＢ上に形成された導電性相互接続層に形成されもよい。
【００２４】
図４は、このようにして可変発振器回路ＴＯＣの全素子が集積回路基板ＳＵＢ上に形成されることを示す。完全な集積化が実現されている。集積回路基板ＳＵＢは、破線によって表されている、図２に示された集積回路チューナーＩＣＴのその他の素子を備えることがある。この破線は、これらのその他の素子が集積回路基板ＳＵＢ上に形成される表面を示す。
【００２５】
結論
図面に関連した以上の詳細な説明は以下の特徴を明らかにする。周波数可変装置（ＩＣＴ）は発振器信号（ＯＳ）を提供する可変発振器回路（ＴＯＣ）を備える。制御可能な周波数分周器回路は、発振器信号に基づいて分周された信号（ミキサ発振器信号ＭＯ）を提供する（制御可能な分周器ＣＤＩＶと、２分周回路ＤＢＴ１、ＤＢＴ２、ＤＢＴ３と、マルチプレクサＭＵＸは、発振器信号ＯＳに基づいてミキサ発振器信号ＭＯを提供する回路組立体を構成する）。分周された信号（ＭＯ）は、分周係数によって分周された発振器信号（ＯＳ）の周波数と等しい周波数を有する。制御可能な周波数分周器回路は、分周係数の組の中から何れかの分周係数を提供し、どんな分周係数に対しても、その分周係数と、もし存在するならば、その分周係数に最も近く、その分周係数より小さい分周係数との間の比が１．２５を上回らない（制御可能な分周器ＣＤＩＶと、２分周回路ＤＢＴ１、ＤＢＴ２、ＤＢＴ３と、マルチプレクサＭＵＸは、以下の分周係数：４、５、６、７、８、１０、１２、１４、１６、２０、２４、２８、３２、４０、４８および５６を提供し、分周係数５に最も近く、その分周係数５より小さい分周係数は、分周係数４であり、これらの分周係数の間の比である１．２５は、１．２５を上回らず、分周係数６に最も近く、それより小さい分周係数は５であり、これらの分周係数の間の比である１．２は１．２５を上回らず、考えられる何れの分周係数に対しても、その分周係数と、その分周係数に最も近く、その分周係数より小さい分周係数との間の比は１．２５を上回らず、分周係数４は、４より小さい分周係数が存在しないので特殊なケースである）。
【００２６】
以上の詳細な説明は、以下のオプショナルな特徴をさらに明らかにする。
【００２７】
制御可能な周波数分周器回路（制御可能な分周器ＣＤＩＶと、２分周回路ＤＢＴ１、ＤＢＴ２、ＤＢＴ３と、マルチプレクサＭＵＸ）は、ｋが１より大きい整数であるとして、２ｋと２ｋ＋１との間を変化する整数分周係数の組の中から何れかの整数分周係数を提供するように構成された周波数分周器サブ回路（制御可能な分周器ＣＤＩＶ）を備える（制御可能な分周器ＣＤＩＶは、分周係数４、５、６および７を提供し、４＝２２、７＝２３−１であるので、本実施例では、ｋ＝２である）。この特徴の利点は、制御可能な周波数分周器回路が、比較的簡単な構造からなり、かつ、比較的適度な電力消費量を有する２分周回路をさらに備えることである。その結果、上記の特徴は、費用効率、若しくは、電力効率、または、その両方でさえ可能にする。
【００２８】
可変発振器回路（ＴＯＣ）は集積回路基板（ＳＵＢ）上に形成される。これは、費用効率の高い実施を可能にし、その上、他の回路との電磁干渉を回避する。
【００２９】
可変発振器回路（ＴＯＣ）は、インダクタンス（Ｌｏ）を含む共振回路（インダクタンスＬｏ、電圧依存容量Ｃｖａｒ）を備える。インダクタンスは集積回路基板（ＳＵＢ）上に形成される。これは、満足できる位相雑音特性をもつ費用効率の高い実施を可能にする。
【００３０】
上記の特徴は多数の異なる形式で実施される。このことを明らかにするため、ある種の代替案が簡単に示される。別の実施では、分周係数の組は、たとえば、８、９、１０、１１、１２、１３、１４、１６、１８、２０、２２、２４、２６、２８および３０である。これは、８（＝２３）と１５（＝２４−１）との間の整数分周係数を提供し得る制御可能な分周器と、「バイパス」させることが可能である２分周分周器とによって実現される。本発明による制御可能な周波数分周器回路は種々の方法で実施される。たとえば、図２を参照すると、代替的な実施形態では、マルチプレクサＭＵＸは省かれ、各２分周分周器ＤＢＴが２分周モードと非分周モード、すなわち、１分周モードとの間で切り替えられる。このような代替的な実施形態では、直交出力信号ＤＱはミキサ発振器信号ＭＯを直接的に構成する。さらに別の代替的な実施形態では、直交発生回路ＱＧＣが省かれる。直交信号出力を有する付加的な２分周分周器が、制御可能な周波数分周器ＣＤＩＶと２分周回路ＤＢＴ１との間に挿入される。その場合、可変発振器回路ＴＯＣの周波数は、ＵＨＦテレビジョン帯域およびＶＨＦテレビジョン帯域の全体に亘り同調を維持するために２倍にされるべきである。さらに別の実施形態では、ミキサ回路ＭＩＸは直交信号を必要としないので、制御可能な分周器回路が直交信号を発生する特殊な回路を組み込まなくてもよい。
【００３１】
ハードウェア若しくはソフトウェア、または、両方の品目を用いて機能を実施するための多数の方法が存在する。この点に関して、図面は概略的であり、各図面は本発明の一つの可能な実施形態だけを表現している。したがって、図面は異なる機能を異なるブロックとして表すが、このことは、ハードウェアまたはソフトウェアの単一品目が複数の機能を実行することを決して排除しない。ハードウェア若しくはソフトウェア、または、両方の品目の組立体が機能を実行することも排除しない。
【００３２】
以上の記載事項は、図面を参照した詳細な説明は本発明を制限するのではなく、本発明を例示的に説明することを実証する。特許請求の範囲に含まれる種々の代替案が存在する。請求項中の参照符号は何れも請求項を制限していると解釈されるべきではない。用語「備える」は、請求項に列挙されていない要素またはステップの存在を排除しない。要素またはステップの前に置かれた冠詞「ａ」または「ａｎ」は、このような要素またはステップが複数個存在することを排除しない。
【図面の簡単な説明】
【００３３】
【図１】ビデオディスプレイセットを示すブロック図である。
【図２】ビデオディスプレイセットの一部を形成する集積回路チューナーを示すブロック図である。
【図３】集積回路チューナー内の分周係数および信号周波数を示す図表である。
【図４】集積回路チューナーの一部を形成する可変発振器回路を示す平面図である。
【符号の説明】
【００３４】
ＲＥＣ  受信機
ＤＰＬ  ディスプレイ装置
ＳＰＢ  信号処理ボード
ＩＣＴ  集積回路チューナ
ＴＯＣ  可変発振器回路
ＣＤＩＶ  分周器
ＦＣＣ  周波数制御回路
ＤＢＴ１〜ＤＢＴ３  ２分周回路
【図１】
2008510407.tif 000003
【図２】
2008510407.tif 000004
【図３】
2008510407.tif 000005
【図４】
2008510407.tif 000006
【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
発振器信号を提供するように構成された可変発振器回路と、
いかなる分周係数に対しても、その分周係数と、もし存在するならば、その分周係数に最も近く、その分周係数より小さい分周係数との間の比が１．２５を上回らない分周係数の組（４，５，６，７）の中から何れかの分周係数を提供するように構成され、前記発振器信号に基づいて、分周係数によって分周された前記発振器信号の周波数と等しい周波数を有する分周信号を提供する制御可能な周波数分周器回路と、
チューニングコマンドに応答して、一方で前記発振器信号の前記周波数を設定するために制御信号を前記可変発振器回路に供給し、他方で前記分周係数を設定するために制御信号を前記制御可能な周波数分周器回路に供給する周波数制御回路と、
を備える、周波数可変装置。
【請求項２】
前記制御可能な周波数分周器回路が、ｋを１より大きい整数であるとして、２ｋと２ｋ＋１−１との間を変化する整数分周係数（４，５，６，７）の組の中から整数分周係数を提供するように構成された周波数分周器サブ回路を備える、請求項１に記載の周波数可変装置。
【請求項３】
前記可変発振器回路が集積回路基板上に形成される、請求項１に記載の周波数可変装置。
【請求項４】
前記可変発振器回路が前記集積回路基板上に形成されたインダクタンスを含む共振回路を備える、請求項２に記載の周波数可変装置。
【請求項５】
前記周波数制御回路が、チューニングコマンドに応答して、一方で前記発振器信号の前記周波数を設定するために制御信号を前記可変発振器回路に供給し、他方で前記分周係数を設定するために制御信号を前記制御可能な周波数分周器回路に供給する、請求項１に記載の周波数可変装置をチューニングする方法。
【手続補正２】
【補正対象書類名】明細書
【補正対象項目名】０００２
【補正方法】変更
【補正の内容】
【０００２】
米国特許第５，９８３，０８８号は、局部発振器と、ＲＦ信号をＩＦ信号へ変換するミキサとを含むチューナーについて記載する。局部発振器は、発振器信号を生成する唯一の可変発振部を有する。制御可能な周波数分周器は、受信機がＵＨＦ帯域およびＶＨＦ帯域の至る所で同調可能であるように、発振器信号の周波数を分周する。制御可能な周波数分周器は、１、２、４、８、または１６により分周するため制御される。
米国特許第２００３／１１９４６６Ａ１号という番号で公開された米国特許出願は、低雑音マルチループ無線周波数シンセサイザを開示する。周波数シンセサイザは、ファインチューン信号を出力するファインチューン位相ロックループと、コースチューン信号を出力するコースチューン位相ロックループと、を備える。トランスレーション位相ロックループは、単位増倍率を有し、ファインチューン信号出力によって駆動される。ギルバートセルミキサは、コースチューン信号とトランスレーション位相ロックループの出力信号とを合成し、混合された信号をトランスレーション位相ロックループに結合する。
米国特許第４１７９６７０号は、基準周波数サイクルの制御された割合に対する分周比の単位元増加によって優れた分解能が得られ、かくして、分数分周比を与える周波数シンセサイザを開示する。結果的に生じることが予想される位相ジッタは、分周比の変化によって生成される位相誤差のランニングカウントを維持し、対応する電圧を位相比較器の出力に加えることにより除去される。
【手続補正３】
【補正対象書類名】明細書
【補正対象項目名】０００４
【補正方法】変更
【補正の内容】
【０００４】
本発明の態様によれば、周波数可変装置は以下の特徴を有する。周波数可変装置は発振器信号を提供する可変発振器回路を備える。制御可能な周波数分周器回路は発振器信号に基づいて分周信号を提供する。分周信号は分周係数によって分周された発振器信号の周波数と等しい周波数を有する。制御可能な周波数分周器回路は、分周係数の組の中から何れかの分周係数を提供し、どんな分周係数に対しても、その分周係数と、もし存在するならば、その分周係数に最も近く、より小さい分周係数との間の比が１．２５を上回らない状態にする。周波数制御回路は、チューニングコマンド（ＴＣ）に応答して、一方で発振器信号の周波数を設定するために制御信号を可変発振器回路に供給し、他方で分周係数を設定するために制御信号を制御可能な周波数分周器回路に供給する。
【手続補正４】
【補正対象書類名】明細書
【補正対象項目名】００２５
【補正方法】変更
【補正の内容】
【００２５】
図面に関連した以上の詳細な説明は以下の特徴を明らかにする。周波数可変装置（ＩＣＴ）は発振器信号（ＯＳ）を提供する可変発振器回路（ＴＯＣ）を備える。制御可能な周波数分周器回路は、発振器信号に基づいて分周された信号（ミキサ発振器信号ＭＯ）を提供する（制御可能な分周器ＣＤＩＶと、２分周回路ＤＢＴ１、ＤＢＴ２、ＤＢＴ３と、マルチプレクサＭＵＸは、発振器信号ＯＳに基づいてミキサ発振器信号ＭＯを提供する回路組立体を構成する）。分周された信号（ＭＯ）は、分周係数によって分周された発振器信号（ＯＳ）の周波数と等しい周波数を有する。制御可能な周波数分周器回路は、分周係数の組の中から何れかの分周係数を提供し、どんな分周係数に対しても、その分周係数と、もし存在するならば、その分周係数に最も近く、その分周係数より小さい分周係数との間の比が１．２５を上回らない（制御可能な分周器ＣＤＩＶと、２分周回路ＤＢＴ１、ＤＢＴ２、ＤＢＴ３と、マルチプレクサＭＵＸは、以下の分周係数：４、５、６、７、８、１０、１２、１４、１６、２０、２４、２８、３２、４０、４８および５６を提供し、分周係数５に最も近く、その分周係数５より小さい分周係数は、分周係数４であり、これらの分周係数の間の比である１．２５は、１．２５を上回らず、分周係数６に最も近く、それより小さい分周係数は５であり、これらの分周係数の間の比である１．２は１．２５を上回らず、考えられる何れの分周係数に対しても、その分周係数と、その分周係数に最も近く、その分周係数より小さい分周係数との間の比は１．２５を上回らず、分周係数４は、４より小さい分周係数が存在しないので特殊なケースである）。周波数制御回路（ＦＣＣ）は、チューニングコマンド（ＴＣ）に応答して、一方で発振器信号の周波数を設定するために制御信号を可変発振器回路に供給し、他方で分周係数を設定するために制御信号を制御可能な周波数分周器回路に供給する。
【国際調査報告】
2008510407.tif 000007
2008510407.tif 000008
2008510407.tif 000009